(57)【要約】【課題】照明器具本体の内部に配置する電源線の配線作業性を向上させる。【解決手段】端部閉塞部１１５Ａ−Ｌは、平板部１１２、第一の側壁部１１３−１、第二の側壁部１１３−２から成る凹形状の凹部１１１の長手方向の左側端部１５１−Ｌを塞ぐ端部閉塞部である。端部閉塞部１１５Ａ−Ｌでは、第一の側壁部１１３−１の凹部１１１側の壁面１１３−１−１に沿う長手方向１５１の延長線１５２上に開口１１７Ａ−Ｌが形成されている。【選択図】図３
2019216103.tif 000002
【特許請求の範囲】
【請求項１】
光源部を有する光源ユニットが取り付けられる照明器具本体であって、
平板部、及び、互いに対向するように前記平板部から立ち上がる一対の側壁部からなり、前記光源部に電力を供給する電源ユニットが収納される長手形状の凹部と、
前記凹部の長手方向の端部を塞ぐとともに、前記凹部のうち、前記電源ユニットと前記一対の側壁部のうち一方の側壁部との間の位置から、前記平板部及び前記側壁部に沿った前記長手方向に延長した位置に開口が形成された端部閉塞部と
を備えた照明器具本体。
【請求項２】
前記開口は、
前記電源ユニット、或いは、前記一方の側壁部の何れかに近接した位置から、前記平板部及び前記一方の側壁部に沿った前記長手方向に延長した位置に形成されている請求項１に記載の照明器具本体。
【請求項３】
前記一対の側壁部は、
前記平板部の一方の端部から立ち上がる第一の側壁部と、前記平板部の他方の端部から立ち上がる第二の側壁部からなり、
前記開口は、
前記電源ユニットと前記第一の側壁部との間の位置、或いは、前記電源ユニットと前記第二の側壁部との間の位置との少なくとも何れか一方の位置から、前記長手方向に延長した位置に形成されている請求項１又は請求項２に記載の照明器具本体。
【請求項４】
前記開口は、
ノックアウト加工によって前記端部閉塞部に形成された除去対象領域が除去されて形成された請求項１から請求項３の何れか一項に記載の照明器具本体。
【請求項５】
請求項１から請求項３の何れか一項に記載の照明器具本体、及び、前記照明器具本体に取り付けられる光源ユニットを備える照明器具。
【発明の詳細な説明】
【技術分野】
【０００１】
この発明は、照明器具本体、この照明器具本体と光源ユニットとを備える照明器具に関する。
【背景技術】
【０００２】
光源と電源とを備える長尺状の光源ユニットが、着脱自在に器具本体に取り付けられる照明器具がある（例えば、特許文献１）。
【先行技術文献】
【特許文献】
【０００３】
【特許文献１】特許第５４８６７２７号公報
【発明の概要】
【発明が解決しようとする課題】
【０００４】
従来では、電源線を通すための通線用の孔に通す場合、電源線は器具本体、光源ユニットの付属部品を避けるよう、器具本体の長手方向に沿う壁の内側（収納空間を形成する壁際）に沿って配線される。このため、器具本体の一方の内壁と他方の内壁との間のほぼ中央に通線用の孔がある場合、電源線を屈曲させる必要があり、配線の作業性が悪い。また電源線はそれ自身にある程度の強度を有するものがあり、屈曲させることに労力を要する場合がある。また、通線用の孔はエッジ保護されていないため、作業性の悪い配線方法では誤って電源線を損傷させる恐れがある。
【０００５】
この発明は、器具本体の内壁に沿って配線する必要のある電源線の配線作業の作業性の向上を目的とする。
【課題を解決するための手段】
【０００６】
この発明の照明器具本体は、
光源部を有する光源ユニットが取り付けられる照明器具本体であって、
平板部、及び、互いに対向するように前記平板部から立ち上がる一対の側壁部からなり、前記光源部に電力を供給する電源ユニットが収納される長手形状の凹部と、
前記凹部の長手方向の端部を塞ぐとともに、前記凹部のうち、前記電源ユニットと前記一対の側壁部のうち一方の側壁部との間の位置から、前記平板部及び前記側壁部に沿った前記長手方向に延長した位置に開口が形成された端部閉塞部と
を備えている。
【発明の効果】
【０００７】
本発明によれば、照明器具本体の内壁の延長線上に通線用の孔（開口）が設けられているので、電源線を屈曲させることなく、直線的に配線することができ、配線作業性を向上できる。
【図面の簡単な説明】
【０００８】
【図１】実施の形態１の図で、照明器具３００の斜視図。
【図２】実施の形態１の図で、照明器具３００を照明器具本体１００と光源ユニット２００に分けた分解斜視図。
【図３】実施の形態１の図で、照明器具本体１００を本体部１１０と端部閉塞部１１５Ａ−Ｌ，端部閉塞部１１５Ａ−Ｒに分けた、照明器具本体１００の分解斜視図。
【図４】実施の形態１の図で、端部閉塞部１１５Ａ−Ｌの斜視図。
【図５】実施の形態１の図で、端部閉塞部１１５Ａ−Ｒの斜視図。
【図６】実施の形態１の図で、照明器具３００の側面図（図１のＸ方向矢視）。
【図７】実施の形態１の図で、図１のＡ−Ａ断面の半断面図。
【図８】実施の形態１の図で、照明器具本体１００を複数接続した図（図２のＺ方向矢視に相当）。
【図９】実施の形態１の図で、端部閉塞部１１５Ａ−Ｌ−１の斜視図。
【図１０】実施の形態１の図で、端部閉塞部が端部閉塞部１１５Ａ−Ｌ−１である照明器具本体１００を複数接続した図。
【図１１】実施の形態１の図で、端部閉塞部が端部閉塞部１１５Ｂ−Ｌである照明器具３００の側面図。
【図１２】実施の形態１の図で、端部閉塞部１１５Ｂ−Ｌの斜視図。
【図１３】実施の形態１の図で、端部閉塞部が端部閉塞部１１５Ｃ−Ｌである照明器具３００の側面図。
【図１４】実施の形態１の図で、端部閉塞部１１５Ｃ−Ｌの斜視図。
【図１５】実施の形態１の図で、端部閉塞部が端部閉塞部１１５Ｄ−Ｌである照明器具３００の側面図。
【図１６】実施の形態１の図で、端部閉塞部１１５Ｄ−Ｌの斜視図。
【図１７】実施の形態１の図で、端部閉塞部が端部閉塞部１１５Ｅ−Ｌである照明器具３００の側面図。
【図１８】実施の形態１の図で、端部閉塞部１１５Ｅ−Ｌの斜視図。
【発明を実施するための形態】
【０００９】
実施の形態１．
図１〜図１８を参照して実施の形態１を説明する。
図１は照明器具３００の斜視図である。照明器具３００は、長手方向１５１の左側端部１５１−Ｌに、この左側端部１５１−Ｌを塞ぐ端部閉塞部１１５Ａ−Ｌを備える。端部閉塞部１１５Ａ−Ｌには、孔または切欠き開口としての開口１１７Ａ−Ｌが形成されている。照明器具３００の特徴は、開口１１７Ａ−Ｌが端部閉塞部１１５Ａ−Ｌの短手方向Ｙの端に形成される点である。なお、図１に示す開口１１７Ａ−Ｌは、実施の形態１では、ノックアウト加工によって端部閉塞部１１５Ａ−Ｌに形成された後述する除去対象領域１１６が除去されて形成された開口（孔あるいは切欠き開口）を想定する。もちろんノックアウト加工によらず、開口１１７Ａ−Ｌとして、はじめから貫通孔あるいは切欠き開口が形成されても良い。
また左側の端部閉塞部１１５Ａ−Ｒも端部閉塞部１１５Ａ−Ｌと同様である。
【００１０】
＜＊＊＊構成の説明＊＊＊＞
図２は、照明器具３００を照明器具本体１００と光源ユニット２００とに分けた分解斜視図であり、照明器具３００は照明器具本体１００と光源ユニット２００とを備える。図２に示すように、端部閉塞部１１５Ａ−Ｌは、後述する凹部１１１の長手方向１５１の左側端部１５１−Ｌを塞ぐ。
【００１１】
光源ユニット２００は、光源と点灯回路を有する光源部２１０と、光源部２１０に電力を供給する電源ユニット２２０とを備える。
【００１２】
図２に示すように、照明器具本体１００は、長手方向１５１の左側端部１５１−Ｌに、通線用のための開口１１７Ａ−Ｌを有する。照明器具本体１００には、光源ユニット２００に配置された取付金具（図示していない）と係合して光源ユニット２００を照明器具本体１００に取り付けるためのバネ部１２０や、端子台１３０が配置される。
【００１３】
図３は、照明器具本体１００の構成を示す斜視図である。照明器具本体１００は、本体部１１０と、本体部１１０の長手方向１１５の左側端部１５１−Ｌを塞ぐ端部閉塞部１１５Ａ−Ｌ、本体部１１０の長手方向１１５の右側端部１５１−Ｒを塞ぐ端部閉塞部１１５Ａ−Ｒを備える。図３では開口１１７Ａ−Ｌ、開口１１７Ａ−Ｒが開けられる前の、ノックアウト成形による除去対象領域１１６Ａ−Ｌ，１１６Ａ−Ｒを示している。また図３では本体部１１０、端部閉塞部１１５Ａ−Ｌ及び端部閉塞部１１５Ａ−Ｒは、互いに別々の部品として表しているが、照明器具本体１００は一枚の板材あるいは複数の板材で成形されてもよい。
【００１４】
図４は、端部閉塞部１１５Ａ−Ｌを蓋部として単独部品とした場合の斜視図であり、除去対象領域１１６Ａ−Ｌが存在している状態である。
図５は、端部閉塞部１１５Ａ−Ｒの斜視図であり、除去対象領域１１６Ａ−Ｒが存在している状態である。なお端部閉塞部１１５Ａ−Ｌ、１５Ａ−Ｒの上端部８は除去対象領域１１６Ａ−Ｌ、１１６−Ｒに含まれてもよいし、除去されずに残存してもよい。除去されない場合は開口１１７Ａは孔であり除去された場合、切欠き開口となる。
【００１５】
図６は照明器具３００の側面図であり、図１のＸ方向矢視である。
図７は図１の断面Ａ−Ａの半断面図である。  本体部１１０は、凹形状をなす凹部１１１を有する。凹部１１１は、長尺状をなす平板形状の平板部１１２、平板部１１２の長手方向１５１に沿う一方の平板端部１１２ａから立ち上がる平板形状の第一の側壁部１１３−１、平板部１１２の長手方向１５１に沿う他方の平板端部１１２ｂから立ち上がる平板形状の第二の側壁部１１３−２とから成る。また、第一の側壁部１１３−１、第二の側壁部１１３−２の立ち上がり終端部からは第一の傾斜部１１４−１、第二の傾斜部１１４−２が引き続き形成される。
【００１６】
図７に示すように、端部閉塞部１１５Ａ−Ｌには、電源線１９０を通すための開口１１７Ａ−Ｌが形成される。図７では開口１１７Ａ−Ｌの位置を二点鎖線で示した。
図８は、照明器具本体１００−１、１００−２、１００−３・・・が、長手方向１５１に接続された状態を示す。図８は図２のＺ方向矢視に相当する。図７、図８に示すように、端部閉塞部１１５Ａ−Ｌは、一方の端部である左側端部１５１−Ｌの手前の凹部１１１の内部の位置で、第一の側壁部１１３−１に近接して左側端部１５１−Ｌの方向に第一の側壁部１１３−１に沿って直線状に向かう電源線１９０を、直線状のまま凹部１１１の長手方向１５１の外部へ通過させる開口１１７Ａ−Ｌが形成されている。端部閉塞部１１５Ａ−Ｒも同様であり、端部閉塞部１１５Ａ−Ｒは、他方の端部である右側端部１５１−Ｒの手前の凹部１１１の内部の位置で、第一の側壁部１１３−１に近接して右側端部１５１−Ｒの方向に第一の側壁部１１３−１に沿って直線状に向かう電源線１９０を、直線状のまま凹部１１１の長手方向１５１の外部へ通過させる開口１１７Ａ−Ｒが形成されている。
【００１７】
図７、図８に示すように、端部閉塞部１１５Ａ−Ｌの開口１１７Ａ−Ｌは、凹部１１１の内部を形成する第一の側壁部１１３−１の内側の壁面１１３−１−１に近接する近接箇所１１３−１−２の位置から長手方向１５１に延長した延長線１５２上の位置に成されている。端部閉塞部１１５Ａ−Ｒも同様であり、端部閉塞部１１５Ａ−Ｒの開口１１７Ａ−Ｒは、凹部１１１の内部を形成する第一の側壁部１１３−１の内側の壁面１１３−１−１に近接する近接箇所１１３−１−２の位置から長手方向１５１に延長した延長線１５２上の位置に形成されている。
【００１８】
図８に示すように、電源線１９０は、通線用の開口１１７Ａ−Ｌを通すことで照明器具本体１００の第一の側壁部１１３−１の内壁に沿って直線的に配線することが可能である。
【００１９】
＜＊＊＊効果の説明＊＊＊＞
図７に示すように、電源ユニット２２０は照明器具本体１００の凹部１１１の空間に収納されるため、電源線１９０を照明器具本体１００の平板部１１２と電源ユニット２２０との間に通すことはできず、よって照明器具本体１００の内壁である第一の側壁部１１３−１１あるいは第二の側壁部１１３−２に沿って配線する。このため、図９に示す端部閉塞部１１５Ａ−Ｌ−１は、除去対象領域１１６Ａ−Ｌ、つまり開口１１７Ａ−Ｌが短手方向Ｙのほぼ中央に存在するが、この場合は、電源線１９０を幅中央の開口１１７Ａ−Ｌを通すため、図１０に破線の楕円７で示す範囲のように電源線１９０を屈曲しなければならず作業性が悪かった。しかし、実施の形態１の端部閉塞部１１５Ａ−Ｌによれば図７、図８に示すように電源線１９０を屈曲させる必要がないので、電源線１９０の配線作業性を向上できる。
【００２０】
次に、図１１〜図１８を参照して、端部閉塞部１１５Ａとは異なるタイプである端部閉塞部１１５Ｂ〜１１５Ｅを説明する。端部閉塞部１１５Ｂ〜１１５Ｄはいずれも、左側の端部閉塞部１１５Ｂ―Ｌ〜１１５Ｄ―Ｌは、それぞれ右側の端部閉塞部１１５Ｂ―Ｒ〜１１５Ｄ―Ｒと共用可能である。
【００２１】
＜端部閉塞部１１５Ｂ＞
図１１は、端部閉塞部１１５Ｂ−Ｌを用いた際の照明器具３００の左側面図（Ｘ方向矢視）である。端部閉塞部１１５Ｂ−Ｒの場合も左側面図と同じである。
図１２は、端部閉塞部１１５Ｂ−Ｌの斜視図であり、端部閉塞部１１５Ｂ−Ｌを単独部品とした場合の斜視図である。端部閉塞部１１５Ｂ−Ｌは、端部閉塞部１１５Ａ−Ｌにおいて、開口１１７Ａ−Ｌを２つに増やした構成である。図１１に示すように、第一の側壁部１１３−１に近い開口１１７Ａ−Ｌと、第二の側壁部１１３−２に近い開口１１７Ａ−Ｌとの２つの開口が形成される。なお図１１の開口はノックアウト加工の場合を示しており、除去対象領域１１６Ａ−Ｌが存在する状態である。図１１の構成によって、電源線１９０を第一の側壁部１１３−１、第二の側壁部１１３−２のどちらに沿わしても、図８のように直線的に配線できる効果がある。
【００２２】
＜端部閉塞部１１５Ｃ＞
図１３は、図６に示す開口１１７Ａ−Ｌを、第一の側壁部１１３−１から第二の側壁部１１３−２に向かう水平方向Ｈに拡張した端部閉塞部１１５Ｃ−Ｌの構成である。端部閉塞部１１５Ｃ−Ｌは除去対象領域として除去対象領域１１６Ｃ−Ｌを有する。除去対象領域１１６Ｃ−Ｌが除去された場合、開口１１７Ｃ−Ｌとなる。
図１４は、端部閉塞部１１５Ｃ−Ｌを単独部品とした場合の斜視図である。図１３の端部閉塞部１１５Ｃ−Ｌの場合は、照明器具本体１００の第一の側壁部１１３−１と、第二の側壁部１１３−２との間が広い開口となる。これによる効果は図１１の端部閉塞部１１５Ｂ−Ｌの場合と同様である。なお、図１３、図１４に示す端部閉塞部１１５Ｃ−Ｌでは、除去対象領域１１６Ｃ−Ｌの範囲内に、図９に示す除去対象領域１１６Ａ−Ｌを形成して、いわゆるダブルノックアウトの構成としても良い。除去対象領域１１６Ｃ−Ｌの領域内に除去対象領域１１６Ａ−Ｌを形成することで、通常の電線を挿通する場合には除去対象領域１１６Ｃ−Ｌをノックアウトし、器具本体部同士を連結する場合には除去対象領域１１６Ａ−Ｌをノックアウトして連結部材とすることができる。
【００２３】
＜端部閉塞部１１５Ｄ＞
図１５は図９に示す開口１１７Ａ−Ｌを鉛直方向Ｖに拡張し、開口１１７Ａ−Ｌを孔ではなく切欠き開口１１Ｄ−Ｌとした端部閉塞部１１５Ｄ−Ｌの側面図である。図１６は、端部閉塞部１１５Ｄ−Ｌを単独部品とした場合の斜視図である。図１６に示すように、端部閉塞部１１５Ｄ−Ｌは、第一の側壁部１１３−１が立ち上がる立上り方向である鉛直方向Ｖにおける終端部１１８から、立上り方向Ｖと反対方向Ｗに向かって切除されて形成された、電源線１９０を通過させるための切欠き開口１１７Ｄ−Ｌを有する。端部閉塞部１１５Ｄ−Ｌによって、電源線１９０を孔に通すのではなく、切欠き開口１１７Ｄ−Ｌに挿入するのみとなり、配線の作業性をさらに向上できる。なお、切欠き開口１１７Ｄ−Ｌは除去対象領域１１６Ｄ−Ｌが除去されることで形成される。
【００２４】
＜端部閉塞部１１５Ｅ＞
図１７は、図１５の切欠き開口１１５Ｄ−Ｌの形状を変更した端部閉塞部１１５Ｅ−Ｌの側面図である。図１８は、端部閉塞部１１５Ｅ−Ｌを単独部品とした場合の斜視図である。図１８に示すように、端部閉塞部１１５Ｅ−Ｌの場合も、端部閉塞部１１５Ｅ−Ｌは、第一の側壁部１１３−１が立ち上がる立ち上り方向である鉛直方向Ｖにおける終端部１１８から、鉛直方向Ｖと反対方向Ｗに向かって切除されて形成された、電源線１９０を通過させるための切欠き開口１１７Ｅ−Ｌを有する。図１８に示すように、端部閉塞部１１５Ｅ−Ｌは電源線１９０を水平に延びる切欠き保持部１１９で保持することができるので、光源ユニット２００を取付ける際に電源線１９０が垂れて他の部品と干渉する恐れがないという効果を得ることができる。なお、切欠き開口１１７Ｅ−Ｌは除去対象領域１１６Ｅ−Ｌが除去されることで形成される。
【符号の説明】
【００２５】
１００  照明器具本体、１１０  本体部、１１１  凹部、１１２  平板部、１１２Ａ  一方の平板端部、１１２Ｂ  他方の平板端部、１１３−１  第一の側壁部、１１３−１−１  壁面、１１３−１−２  近接箇所、１１３−２  第二の側壁部、１１４−１，１１４−２  傾斜部、１１５Ａ−Ｌ，１１５Ｂ−Ｌ，１１５Ｃ−Ｌ，１１５Ｄ−Ｌ，１１５Ｅ−Ｌ  端部閉塞部、１１６Ａ−Ｌ，１１６Ｃ−Ｌ，１１６Ｄ−Ｌ，１１６Ｅ−Ｌ  除去対象領域、１１７Ａ−Ｌ，１１７Ｃ−Ｌ，１１７Ｄ−Ｌ，１１７Ｅ−Ｌ  開口、１１８  終端部、１１９  切欠き保持部、１２０  バネ部、１３０  端子台、１５１  長手方向、１５１−Ｌ  左側端部、１５１−Ｒ  右側端部、１５２  延長線、１９０  電源線、２００  光源ユニット、２１０  光源部、２２０  電源ユニット、３００  照明器具。
【図１】
2019216103.tif 000003
【図２】
2019216103.tif 000004
【図３】
2019216103.tif 000005
【図４】
2019216103.tif 000006
【図５】
2019216103.tif 000007
【図６】
2019216103.tif 000008
【図７】
2019216103.tif 000009
【図８】
2019216103.tif 000010
【図９】
2019216103.tif 000011
【図１０】
2019216103.tif 000012
【図１１】
2019216103.tif 000013
【図１２】
2019216103.tif 000014
【図１３】
2019216103.tif 000015
【図１４】
2019216103.tif 000016
【図１５】
2019216103.tif 000017
【図１６】
2019216103.tif 000018
【図１７】
2019216103.tif 000019
【図１８】
2019216103.tif 000020